(57)【要約】      （修正有）【課題】通信品質を向上させることを可能とする通信装置及び通信装置の制御方法を提供する。【解決手段】通信装置１００は、無線通信部１０、デジタル放送受信部２０、制御部３０を備え、デジタル放送受信部２０は、第1の通信の電波を受信する放送受信部２３と、第1の通信の電波を減衰するフィルタ部２２を含む。制御部３０は、自機に装着されたＳＩＭカード４０からキャリア情報を取得し、キャリア情報に応じて、フィルタ部２２の減衰を制御する。【選択図】図１
2017005410.tif 000002
【特許請求の範囲】
【請求項１】
第１の通信の電波を受信する第１の受信部と、
前記第１の通信の電波を減衰するフィルタ部と、
自機に装着されたＳＩＭカードからキャリア情報を取得し、該キャリア情報に応じて、前記フィルタ部の減衰を制御する制御部と、を備える通信装置。
【請求項２】
第２の通信を行う第２の通信部をさらに備え、
前記フィルタ部は、前記第２の通信部から前記第１の受信部への干渉波を減衰させる、請求項１記載の通信装置。
【請求項３】
前記第１の受信部は、デジタル放送を受信する放送受信部である、請求項１記載の通信装置。
【請求項４】
前記第２の通信部は、無線通信を行う無線通信部である、請求項２記載の通信装置。
【請求項５】
電波の電力値を検出する電力検出部をさらに備え、
前記制御部は、前記電力検出部が検出した前記電力値及び前記キャリア情報に応じて、前記フィルタ部の減衰を制御することを特徴とする請求項１記載の通信装置。
【請求項６】
前記フィルタ部は、共振子と、マッチング素子と、該マッチング素子を切り換えるスイッチとを備え、
前記制御部は、前記スイッチを切り換えることにより、前記フィルタ部の減衰を制御することを特徴とする請求項１記載の通信装置。
【請求項７】
前記フィルタ部は、前記共振子と、前記マッチング素子と、前記スイッチとを基板上に別々に実装した構成であることを特徴とする請求項６記載の通信装置。
【請求項８】
前記制御部は、前記フィルタ部の減衰量と減衰帯域を制御する、請求項１記載の通信装置。
【請求項９】
第１の通信の電波を受信する第１の受信部と、該第１の通信の電波を減衰するフィルタ部と、を備える通信装置の制御方法であって、
自機に装着されたＳＩＭカードからキャリア情報を取得するステップと、
前記キャリア情報に応じて、前記フィルタ部の減衰を制御するステップと、を含む通信装置の制御方法。
【発明の詳細な説明】
【技術分野】
【０００１】
本発明は、通信装置及びその制御方法に関するものである。
【背景技術】
【０００２】
近年、ＬＴＥ（Long Term Evolution）などの各種通信規格による無線通信機能を有することに加えて、地上デジタル放送（以下、単に「デジタル放送」とも称する）の受信も可能な通信装置が広く普及している。
【０００３】
２０１５年からは、日本国内においてＬＴＥバンド２８（以下、単に「バンド２８」とも称する）によるサービスの提供が開始されるが、バンド２８の送信帯域（７１８〜７４８ＭＨｚ）は、デジタル放送の周波数帯域（４７０〜７１０ＭＨｚ）と８ＭＨｚしか離れていない。図７に、デジタル放送の周波数帯域とバンド２８の送信帯域を示す。
【０００４】
図７に示すように、バンド２８の送信帯域は３つの通信会社（キャリア）に１０ＭＨｚずつ割り当てられている。
【０００５】
また、図７に示すように、デジタル放送の周波数帯域とバンド２８の送信帯域は近接しているため、１台の通信装置において、バンド２８の送信帯域を利用して無線通信を行いつつ、デジタル放送を受信する場合、バンド２８の送信波がデジタル放送の受信部に回り込むことに起因する干渉問題に対する対策が必要となる。
【０００６】
従来、このような干渉問題への対策方法として、デジタル放送受信部の前段にノッチフィルタを設け、送信波を減衰させる方法が知られている（例えば、特許文献１参照）。図８に、ノッチフィルタの特性の一例を示す。ｆｕは、アッパーチャネル（デジタル放送の中で最も高い周波数を利用するチャネル）の周波数を示す。
【先行技術文献】
【特許文献】
【０００７】
【特許文献１】国際公開第２００９／０７２２５１号
【発明の概要】
【発明が解決しようとする課題】
【０００８】
図８に示すように、ノッチフィルタは特定の周波数を大きく減衰させる特性を有するが、大きく減衰させることのできる周波数の範囲は狭い。それでも、１０ＭＨｚ程度の範囲は所望の量を減衰させることができるため、例えば、キャリアＡ専用の通信装置であれば、７１８〜７２８ＭＨｚを減衰させることが可能なノッチフィルタをデジタル放送受信部に設ければ、７１８〜７２８ＭＨｚの送信波を減衰させて干渉を抑え、デジタル放送を受信することができる。しかしながら、このような構成では、キャリアＢやキャリアＣの周波数帯による送信波に対しては干渉問題を解消することができない。
【０００９】
一方、将来的にＳＩＭ（Subscriber Identity Module）フリー化が求められることは確実な状況であり、その場合、デジタル放送の受信と、バンド２８による無線通信との双方が可能であると謳うためには、通信装置は、ユーザがどのキャリアと契約しても、バンド２８の送信波のデジタル放送受信部に対する干渉問題を解消している必要がある。
【００１０】
かかる点に鑑みてなされた本発明の目的は、通信品質を向上させることが可能な通信装置及びその制御方法を提供することにある。
【課題を解決するための手段】
【００１１】
上記課題を解決するため、本発明に係る通信装置は、第１の通信の電波を受信する第１の受信部と、前記第１の通信の電波を減衰するフィルタ部と、自機に装着されたＳＩＭカードからキャリア情報を取得し、該キャリア情報に応じて、前記フィルタ部の減衰を制御する制御部と、を備えるものである。
【００１２】
また、本発明に係る通信装置において、第２の通信を行う第２の通信部をさらに備え、前記フィルタ部は、前記第２の通信部から前記第１の受信部への干渉波を減衰させることが好ましい。
【００１３】
また、本発明に係る通信装置において、前記第１の受信部は、デジタル放送を受信する放送受信部であることが好ましい。
【００１４】
また、本発明に係る通信装置において、前記第２の通信部は、無線通信を行う無線通信部であることが好ましい。
【００１５】
また、本発明に係る通信装置において、電波の電力値を検出する電力検出部をさらに備え、前記制御部は、前記電力検出部が検出した前記電力値及び前記キャリア情報に応じて、前記フィルタ部の減衰を制御することが好ましい。
【００１６】
また、本発明に係る通信装置において、前記フィルタ部は、共振子と、マッチング素子と、該マッチング素子を切り換えるスイッチとを備え、前記制御部は、前記スイッチを切り換えることにより、前記フィルタ部の減衰を制御することが好ましい。
【００１７】
また、本発明に係る通信装置において、前記フィルタ部は、前記共振子と、前記マッチング素子と、前記スイッチとを基板上に別々に実装した構成であることが好ましい。
【００１８】
また、本発明に係る通信装置において、前記制御部は、前記フィルタ部の減衰量と減衰帯域を制御することが好ましい。
【００１９】
また、上記課題を解決するため、本発明に係る通信装置の制御方法は、第１の通信の電波を受信する第１の受信部と、該第１の通信の電波を減衰するフィルタ部と、を備える通信装置の制御方法であって、自機に装着されたＳＩＭカードからキャリア情報を取得するステップと、前記キャリア情報に応じて、前記フィルタ部の減衰を制御するステップと、を含むものである。
【発明の効果】
【００２０】
本発明に係る通信装置及びその制御方法によれば、通信品質を向上させることが可能となる。
【図面の簡単な説明】
【００２１】
【図１】本発明の第１実施形態に係る通信装置の概略構成を示す図である。
【図２】図１のフィルタ部の概略構成を示す図である。
【図３】本発明の第２実施形態に係る通信装置の概略構成を示す図である。
【図４】図３のフィルタ部の概略構成を示す図である。
【図５】図３のフィルタ部の経路選択の様子を示す図である。
【図６】本発明の第２実施形態に係る通信装置の動作の一例を示すフローチャートである。
【図７】デジタル放送の周波数帯域とＬＴＥバンド２８の送信帯域を示す図である。
【図８】ＬＴＥバンド２８の送信帯域を減衰させるノッチフィルタの特性の一例である。
【発明を実施するための形態】
【００２２】
以下、本発明に係る実施形態について、図面を参照して説明する。
【００２３】
（第１実施形態）
図１は、本発明の第１実施形態に係る通信装置１００の概略構成を示す図である。通信装置１００は、無線通信部１０と、デジタル放送受信部２０と、制御部３０と、ＳＩＭカード４０と、記憶部５０とを備える。通信装置１００は、無線通信部１０で無線通信を行いながら、デジタル放送受信部２０でデジタル放送を受信することができる。
【００２４】
無線通信部１０は、ＬＴＥや、ＰＣＳ（Personal Communication Service）、ＤＣＳ（Digital Cellular System）、ＧＳＭ（Global System for Mobile communications）（登録商標）などのような、様々な無線通信規格に対応し、無線通信規格に対応して様々なバンド（周波数帯域）で無線通信を行う。
【００２５】
無線通信部１０は、アンテナ１１と、バンド切り換えスイッチ１２と、送信部１３と、受信部１４と、電力検出部１５とを備える。
【００２６】
バンド切り換えスイッチ１２は、少なくとも１つ以上のスイッチを備え、どのバンドで無線通信を実行しているかに応じて、制御部３０からの指示によりスイッチを切り換え、無線通信を実行中のバンドに対応する送信部１３及び受信部１４をアンテナ１１に接続させる。バンド切り換えスイッチ１２は、スイッチに加えてデュプレクサなどを備えていてもよい。
【００２７】
送信部１３−１〜１３−Ｎは、各々が、無線通信の対応するバンドにおける送信処理を実行する。図１においては、送信部１３が送信部１３−１〜１３−ＮまでのＮ個ある例を示しているが、送信部１３の個数は、通信装置１００が対応しているバンドの数に応じた任意の個数である。なお、図１においては、送信部１３−１、・・・、送信部１３−Ｎのように示しているが、特に区別する必要がない場合は、送信部１３と総称して説明する。符号については、他の構成要素についても、必要に応じて、総称を用いて説明する。
【００２８】
受信部１４−１〜１４−Ｎは、各々が、無線通信の対応するバンドにおける受信処理を実行する。図１においては、受信部１４が受信部１４−１〜１４−ＮまでのＮ個ある例を示しているが、受信部１４の個数は、通信装置１００が対応しているバンドの数に応じた任意の個数である。
【００２９】
電力検出部１５は、アンテナ１１とバンド切り換えスイッチ１２の間に設けられ、フィルタ部２２が減衰させる対象としている干渉波の電力（以後、「干渉波電力」とも称する）を検出し、フィードバックのため、検出した電力値を制御部３０へ出力する。本実施形態においては、電力検出部１５は、バンド２８の送信波の電力を干渉波電力として検出する。なお、電力検出部１５は、デジタル放送受信部２０において、アンテナ２１とフィルタ部２２の間に設けられる構成であってもよい。
【００３０】
デジタル放送受信部２０は、デジタル放送信号を受信する。デジタル放送受信部２０は、アンテナ２１と、フィルタ部２２と、放送受信部２３とを備える。
【００３１】
フィルタ部２２は、無線通信部１０からアンテナ２１などを介して放送受信部２３に干渉波として回り込んでくる無線通信部１０の送信波のうち、デジタル放送の周波数帯域に近接する周波数帯の送信波を減衰させる。本実施形態においては、デジタル放送の周波数帯域は４７０〜７１０ＭＨｚであり、これに近接する周波数帯が送信帯域となっているＬＴＥバンド２８の送信波を減衰させるものとして説明する。なお、これはあくまで一例であって、これに限定されるものではない。ＬＴＥバンド２８以外の送信波がデジタル放送の周波数帯域に近接している場合は、その送信波を低減させるように構成される。
【００３２】
放送受信部２３は、フィルタ部２２により干渉波が減衰させられた後のデジタル放送信号を受信する。
【００３３】
制御部３０は、通信装置１００全体を制御及び管理するものであり、例えばプロセッサにより構成することができる。
【００３４】
制御部３０は、無線通信に利用するバンドに応じて無線通信部１０のバンド切り換えスイッチ１２を制御する。例えば、バンド２８により無線通信を行う場合、制御部３０は、バンド２８に対応する送信部１３及び受信部１４をアンテナ１１に接続するように、バンド切り換えスイッチ１２を制御する。
【００３５】
制御部３０は、ＳＩＭカード４０から、ユーザがどのキャリアと契約しているかの情報を（以下、「キャリア情報」とも称する）取得する。また、制御部３０は、電力検出部１５から、フィルタ部２２への干渉波電力の電力値を取得する。制御部３０は、無線通信部１０が使用しているバンド、キャリア情報、ならびに、フィルタ部２２への干渉波電力の電力値に応じて、フィルタ部２２の減衰帯域及び減衰量を制御する。ここで、「減衰帯域」とは、フィルタ部２２が減衰させる周波数帯域である。制御部３０によるフィルタ部２２の制御の詳細については後述する。
【００３６】
ＳＩＭカード４０は、加入者を特定するための識別番号などが記録されたＩＣカードであり、通信装置１００に装着されている。ＳＩＭカード４０には、通信装置１００のユーザがどのキャリア（通信会社）と契約しているかの情報（キャリア情報）も記録されている。
【００３７】
記憶部５０は、各種情報を記憶している。
【００３８】
図２は、フィルタ部２２の概略構成を示す図である。フィルタ部２２は、ノッチフィルタ２２１と、フィルタ選択スイッチ２２２と、スイッチ２２３とを備える。
【００３９】
ノッチフィルタ２２１は、特定の周波数を減衰させることができるフィルタである。本実施形態においては、ノッチフィルタ２２１−Ａ１及び２２１−Ａ２は、キャリアＡ用のフィルタであり、バンド２８のキャリアＡへの割り当て周波数である７１８〜７２８ＭＨｚを減衰させる。ノッチフィルタ２２１−Ｂは、キャリアＢ用のフィルタであり、バンド２８のキャリアＢへの割り当て周波数である７２８〜７３８ＭＨｚを減衰させ、ノッチフィルタ２２１−Ｃは、キャリアＣ用のフィルタであり、バンド２８のキャリアＣへの割り当て周波数である７３８〜７４８ＭＨｚを減衰させる。
【００４０】
フィルタ選択スイッチ２２２は、制御部３０からの指示に応じて、デジタル放送信号をどのノッチフィルタ２２１に通過させるかを選択する。例えば、無線通信部１０がバンド２８で通信を行っている場合において、ユーザが契約しているキャリアがキャリアＢである場合、制御部３０は、デジタル放送信号がキャリアＢ用のノッチフィルタ２２１−Ｂを通過するようにフィルタ選択スイッチ２２２−１及び２２２−２を制御する。
【００４１】
また、フィルタ選択スイッチ２２２は、ノッチフィルタ２２１を通過させない経路であるフィルタレス経路２２４を選択することもできる。無線通信部１０がバンド２８以外のバンドで無線通信を行っている場合、制御部３０は、フィルタレス経路２２４を選択するようにフィルタ選択スイッチ２２２を制御する。これにより、デジタル放送信号を不必要に減衰させることを防ぐことができる。
【００４２】
また、図２に示すように、フィルタ選択スイッチ２２２でキャリアＡ用のノッチフィルタ２２１−Ａを選択する場合、スイッチ２２３により、ノッチフィルタ２２１−Ａの段数を１段か２段か選択できる。制御部３０は、無線通信部１０が利用しているバンドがバンド２８であり、ユーザが契約しているキャリアがキャリアＡである場合において、電力検出部１５から取得した干渉波電力が所定の閾値より大きい場合は、ノッチフィルタ２２１−Ａの段数が２段になるようにスイッチ２２３−１及び２２３-２を制御し、所定の閾値以下の場合は、ノッチフィルタ２２１−Ａの段数が１段になるようにスイッチ２２３−１及び２２３-２を制御する。これにより、干渉波電力が小さい場合は、ノッチフィルタの減衰量を低減させることができ、必要以上にデジタル放送信号を減衰させることを防ぐことができる。
【００４３】
なお、図２においては、キャリアＡの場合にノッチフィルタの段数を１段と２段から選択できるようにしたが、３段以上の段数も選択できるように構成してもよい。また、キャリアＢやＣの場合も、ノッチフィルタを２段以上とすることを選択できるように構成してもよい。
【００４４】
このように本実施形態によれば、制御部３０は、ＳＩＭカード４０からキャリア情報を取得し、取得したキャリア情報に応じて、フィルタ部２２の減衰帯域を制御する。これにより、通信装置１００のユーザがどのキャリアと契約していても、デジタル放送の周波数帯域に近接するバンドを利用する無線通信の送信による干渉波を低減することができるため、ＳＩＭフリー化に対応してデジタル放送を受信することができる。
【００４５】
また、本実施形態によれば、制御部３０は、干渉波の電力値に応じて、フィルタ部２２の減衰量を切り換えることも可能である。これにより、干渉波電力が小さい場合に、必要以上にデジタル放送信号を減衰させてしまうことを防ぐことができる。
【００４６】
（第２実施形態）
図３は、本発明の第２実施形態に係る通信装置２００の概略構成を示す図である。通信装置２００は、無線通信部１０と、デジタル放送受信部６０と、制御部３０と、ＳＩＭカード４０と、記憶部５０とを備える。
【００４７】
第２実施形態に係る通信装置２００は、特に、デジタル放送受信部２０の代わりにデジタル放送受信部６０を備える構成であるという点で、第１実施形態に係る通信装置１００と相違する。第２実施形態においては、第１実施形態と相違する部分について主に説明し、第１実施形態と共通又は類似する内容については、適宜、説明を省略する。
【００４８】
デジタル放送受信部６０は、デジタル放送信号を受信する。デジタル放送受信部６０は、アンテナ６１と、フィルタ部６２と、放送受信部６３とを備える。放送受信部６３については、第１実施形態の放送受信部２３と同様の機能であるため説明を省略する。
【００４９】
図４は、第２実施形態に係るフィルタ部６２の概略構成を示す図である。フィルタ部６２は、スイッチ６２１と、共振子６２２と、キャパシタ６２３と、マッチング素子切り換えスイッチ６２４と、インダクタ６２５とを備える。フィルタ部６２においては、共振子６２２と、キャパシタ６２３と、マッチング素子切り換えスイッチ６２４とインダクタ６２５とで、ノッチフィルタを構成している。
【００５０】
共振子６２２は、例えば、少なくとも１つのＳＡＷ素子を含むように構成される。
【００５１】
キャパシタ６２３と、インダクタ６２５とは、両者で共振子６２２に対するするマッチング素子を構成する。
【００５２】
マッチング素子切り換えスイッチ６２４は、キャパシタ６２３に接続するインダクタ６２５を選択することにより、マッチング素子の特性を調整し、ノッチフィルタの減衰帯域及び減衰量を調整することができる。制御部３０は、ＳＩＭカード４０から取得したキャリア情報、及び、電力検出部１５から検出した干渉波電力の値に応じて、マッチング素子切り換えスイッチ６２４を制御し、ノッチフィルタの減衰帯域及び減衰量を調整する。
【００５３】
例えば、制御部３０は、ユーザが契約しているキャリアがキャリアＡである場合、電力検出部１５から検出した干渉波電力が大電力、中電力、小電力のいずれであるかに応じて、ノッチフィルタの減衰量を調整する。制御部３０は、干渉波電力が大電力である場合は、中電力の場合よりも減衰量が大きくなるようにマッチング素子切り換えスイッチ６２４を制御し、干渉波電力が小電力である場合は、中電力の場合よりも減衰量が小さくなるようにマッチング素子切り換えスイッチ６２４を制御する。制御部３０は、予め２段階の所定の閾値を設定しておくことにより、干渉波電力が、大電力、中電力、小電力のいずれであるかを判定することができる。
【００５４】
図５に、マッチング素子切り換えスイッチ６２４による経路選択の例を示す。なお、図５に示すテーブルは、記憶部５０に記憶されている。例えば、ユーザが契約しているキャリアがキャリアＡで、干渉波電力が大電力である場合、制御部３０は、経路１〜５を全てオン、すなわち、インダクタ６２５−１〜６２５−５を全てキャパシタ６２３に接続させるようにマッチング素子切り換えスイッチ６２４を制御する。また、例えば、ユーザが契約しているキャリアがキャリアＢである場合、制御部３０は、経路１〜３をオフで経路４及び５をオン、すなわち、インダクタ６２５−４及び６２５−５をキャパシタ６２３に接続させるようにマッチング素子切り換えスイッチ６２４を制御する。
【００５５】
また、フィルタ部６２は、無線通信部１０がバンド２８で無線通信を行っていない場合、デジタル放送信号が、ノッチフィルタを含まないフィルタレス経路６２６を通過するようにすることができる。制御部３０は、無線通信部１０がバンド２８で無線通信を行っていない場合、デジタル放送信号がフィルタレス経路６２６を通過するように、スイッチ６２１−１及び６２１−２を制御する。これにより、デジタル放送信号を不必要に減衰させることを防ぐことができる。
【００５６】
なお、図４に示す構成において、共振子６２２と、マッチング素子（キャパシタ６２３、インダクタ６２５）と、マッチング素子切り換えスイッチ６２４とは、基板上に別々に実装してもよい。
【００５７】
また、図５においては、キャリアＡの場合にノッチフィルタの減衰量を３段階で切り換えられる例を示しているが、２段階又は４段階以上の切り換えとしてもよい。また、キャリアＢやＣについても、減衰量を２段階以上切り換えられるように構成してもよい。
【００５８】
図６に示すフローチャートを参照して、第２実施形態に係る通信装置２００の動作の一例について説明する。
【００５９】
制御部３０は、無線通信部１０がバンド２８で通信を行っているか否かを判定する（ステップＳ１０１）。
【００６０】
無線通信部１０がバンド２８で通信を行っていないと判定した場合（ステップＳ１０１：Ｎｏ）、制御部３０は、フィルタ部６２がフィルタレス経路６２６を選択するようにスイッチ６２１を制御する（ステップＳ１０２）。
【００６１】
無線通信部１０がバンド２８で通信を行っていると判定した場合（ステップＳ１０１：Ｙｅｓ）、制御部３０は、デジタル放送信号がノッチフィルタを通過するようにスイッチ６２１を制御し、ＳＩＭカード４０からキャリア情報を取得する（ステップＳ１０３）。
【００６２】
制御部３０は、ユーザが契約しているキャリアがキャリアＡであるか否かを判定する（ステップＳ１０４）。
【００６３】
ユーザが契約しているキャリアがキャリアＡでないと判定した場合（ステップＳ１０４：Ｎｏ）、制御部３０は、ユーザが契約しているキャリアがキャリアＢであるか否かを判定する（ステップＳ１０５）。
【００６４】
ユーザが契約しているキャリアがキャリアＢであると判定した場合（ステップＳ１０５：Ｙｅｓ）、制御部３０は、図５に示す経路セット４を選択するようにマッチング素子切り換えスイッチ６２４を制御する（ステップＳ１０６）。
【００６５】
ユーザが契約しているキャリアがキャリアＢでないと判定した場合、すなわち、ユーザが契約しているキャリアがキャリアＣであると判定した場合（ステップＳ１０５：Ｎｏ）、制御部３０は、図５に示す経路セット５を選択するようにマッチング素子切り換えスイッチ６２４を制御する（ステップＳ１０７）。
【００６６】
また、ステップＳ１０４において、ユーザが契約しているキャリアがキャリアＡであると判定した場合（ステップＳ１０４：Ｙｅｓ）、制御部３０は、電力検出部１５から干渉波電力の値を取得する（ステップＳ１０８）。
【００６７】
制御部３０は、干渉波電力が大電力であるか否かを判定する（ステップＳ１０９）。
【００６８】
干渉波電力が大電力であると判定した場合（ステップＳ１０９：Ｙｅｓ）、制御部３０は、図５に示す経路セット１を選択するようにマッチング素子切り換えスイッチ６２４を制御する（ステップＳ１１０）。
【００６９】
干渉波電力が大電力でないと判定した場合（ステップＳ１０９：Ｎｏ）、制御部３０は、干渉波電力が中電力であるか否かを判定する（ステップＳ１１１）。
【００７０】
干渉波電力が中電力であると判定した場合（ステップＳ１１１：Ｙｅｓ）、制御部３０は、図５に示す経路セット２を選択するようにマッチング素子切り換えスイッチ６２４を制御する（ステップＳ１１２）。
【００７１】
干渉波電力が中電力でないと判定した場合、すなわち、干渉波電力が小電力であると判定した場合（ステップＳ１１１：Ｎｏ）、制御部３０は、図５に示す経路セット３を選択するようにマッチング素子切り換えスイッチ６２４を制御する（ステップＳ１１３）。
【００７２】
このように本実施形態によれば、制御部３０は、１つのノッチフィルタのみを含むフィルタ部６２を制御することで、干渉波の電力値及びキャリア情報に応じて、フィルタ部６２の減衰量及び減衰帯域を制御することができる。これにより、回路規模を小型化し、低コスト化につなげることができる。
【００７３】
なお、本実施形態に利用されるＳＩＭカードとしては、フルサイズのＳＩＭ、ｍｉｎｉサイズのＳＩＭ（ｍｉｎｉ−ＳＩＭ）、ｍｉｃｒｏサイズのＳＩＭ（ｍｉｃｒｏ−ＳＩＭ）、ｎａｎｏサイズのＳＩＭ（ｎａｎｏ−ＳＩＭ）のいずれを用いることもできる。
【００７４】
また、本実施形態では、ＳＩＭカードを用いるとしたが、本発明はこのような場合に限定されるものではなく、ＳＩＭカード以外の加入者を特定するためのＩＤ番号が記録されたＩＣカードを利用するとしてもよい。
【００７５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００７６】
１０  無線通信部
１１  アンテナ
１２  バンド切り換えスイッチ
１３  送信部
１４  受信部
１５  電力検出部
２０  デジタル放送受信部
２１  アンテナ
２２  フィルタ部
２３  放送受信部
３０  制御部
４０  ＳＩＭカード
５０  記憶部
６０  デジタル放送受信部
６１  アンテナ
６２  フィルタ部
６３  放送受信部
１００  通信装置
２００  通信装置
２２１  ノッチフィルタ
２２２  フィルタ選択スイッチ
２２３  スイッチ
２２４  フィルタレス経路
６２１  スイッチ
６２２  共振子
６２３  キャパシタ
６２４  マッチング素子切り換えスイッチ
６２５  インダクタ
６２６  フィルタレス経路
【図１】
2017005410.tif 000003
【図２】
2017005410.tif 000004
【図３】
2017005410.tif 000005
【図４】
2017005410.tif 000006
【図５】
2017005410.tif 000007
【図６】
2017005410.tif 000008
【図７】
2017005410.tif 000009
【図８】
2017005410.tif 000010